(57)【要約】【課題】現実に押印行為をした場合に近い使用感をユーザに与えられるように、電子的に表示するオブジェクト画像に変化を与える。【解決手段】表示端末は、表示面１４１に対して電子スタンプ装置を使用して行われた押印操作を検出すると、その押印操作を検出したときの、電子スタンプ装置の所定の使用状況を表す状況情報を取得する。ここでの使用状況は、例えば、この電子スタンプ装置を使用した押印操作の回数である。表示端末は、押印操作が行われた電子スタンプ装置に予め対応付けられたスタンプ画像データを取得すると、このスタンプ画像データが表すスタンプ画像を、状況情報に応じて変化させて表示面１４１に表示する。例えば、電子スタンプ装置を使用した押印操作の回数が多いほど、表示面１４１に表示されるスタンプ画像Ｉ，Ｉ１〜Ｉ４の色の濃度が低くなる。【選択図】図９
2015011671.tif 000002
【特許請求の範囲】
【請求項１】
表示面に画像を表示する表示部と、
所定の指示体を使用して行われた前記表示面を指示する操作を検出する検出部と、
前記指示体に対応付けられたオブジェクト画像データを取得する画像取得部と、
前記画像取得部が取得したオブジェクト画像データに基づいて、前記検出部が前記操作を検出したときの前記指示体の所定の使用状況を表す状況情報に応じて変化させたオブジェクト画像を、前記表示部に表示させる表示制御部と
を備える表示端末。
【請求項２】
前記状況情報は、
前記指示体の使用実績を表す実績情報を含む
ことを特徴とする請求項１に記載の表示端末。
【請求項３】
前記実績情報は、
前記オブジェクト画像の表示回数、又は、所定時期からの経過時間を表す情報を含む
ことを特徴とする請求項２に記載の表示端末。
【請求項４】
前記状況情報は、
前記指示体が前記表示面を指示した時間の長さ、又は、前記指示体が前記表示面を押す力の大きさを表す情報を含む
ことを特徴とする請求項１から３のいずれか１項に記載の表示端末。
【請求項５】
前記状況情報は、
前記表示面に対する前記指示体の姿勢を表す情報を含む
ことを特徴とする請求項１から４のいずれか１項に記載の表示端末。
【請求項６】
前記表示制御部は、
前記状況情報に応じて、前記オブジェクト画像の色、当該色の濃度及び情報量のうちの１つ以上を変化させる
ことを特徴とする請求項１から５のいずれか１項に記載の表示端末。
【請求項７】
自表示端末から所定距離範囲内にある前記指示体と無線通信を行う無線通信部と、
前記無線通信部が無線通信を行った前記指示体についての前記状況情報を取得する情報取得部と
を備え、
前記画像取得部は、
各々の前記指示体に対応付けられたオブジェクト画像データを配信するサーバ装置と通信して、前記無線通信部が無線通信を行った前記指示体に対応付けられたオブジェクト画像データを取得し、
前記表示制御部は、
前記サーバ装置から取得されたオブジェクト画像データが表すオブジェクト画像を、前記情報取得部が取得した前記状況情報に応じて変化させる
ことを特徴とする請求項１から６のいずれか１項に記載の表示端末。
【請求項８】
表示面に画像を表示する表示端末の表示制御方法であって、
所定の指示体を使用して行われた前記表示面を指示する操作を検出するステップと、
前記指示体に対応付けられたオブジェクト画像データを取得するステップと、
取得したオブジェクト画像データに基づいて、前記操作を検出したときの前記指示体の所定の使用状況を表す状況情報に応じて変化させたオブジェクト画像を、前記表示面に表示するステップと
を有する表示制御方法。
【請求項９】
表示端末と、当該表示端末と通信するサーバ装置とを備える画像表示システムであって、
前記表示端末は、
表示面に画像を表示する表示部と、
所定の指示体を使用して行われた前記表示面を指示する操作を検出する検出部と、
前記指示体に対応付けられたオブジェクト画像データを、前記サーバ装置と通信して取得する画像取得部と、
前記画像取得部が取得したオブジェクト画像データに基づいて、前記検出部が前記操作を検出したときの前記指示体の所定の使用状況を表す状況情報に応じて変化させたオブジェクト画像を、前記表示部に表示させる表示制御部と
を有し、
前記画像サーバは、
前記指示体の各々に対応付けられたオブジェクト画像データを蓄積したデータベースから、前記検出部が前記操作を検出した前記指示体に対応付けられたオブジェクト画像データを取得して、前記表示端末へ送信するデータ管理部と
を有する画像表示システム。
【請求項１０】
表示面に画像を表示する表示端末のコンピュータに、
所定の指示体を使用して行われた前記表示面を指示する操作を検出するステップと、
前記指示体に対応付けられたオブジェクト画像データを取得するステップと、
取得したオブジェクト画像データに基づいて、前記操作を検出したときの前記指示体の所定の使用状況を表す状況情報に応じて変化させたオブジェクト画像を、前記表示面に表示するステップと
を実行させるためのプログラム。
【発明の詳細な説明】
【技術分野】
【０００１】
本発明は、電子印鑑等のオブジェクト画像を表示する技術に関する。
【背景技術】
【０００２】
電子印鑑の技術では、印鑑装置を用いて表示面上の位置が指示されると、その指示された位置に、印影に相当するオブジェクト画像が表示される。特許文献１，２は、印鑑装置を用いた押印（捺印）行為を、押印時に作用する圧力により検出すると、印影画像を表す画像データを押印面をなす電子ペーパのタグに送信することを開示している。
【先行技術文献】
【特許文献】
【０００３】
【特許文献１】特開２００７−１９３５６９号公報
【特許文献２】特開２０００−２３１６２６号公報
【発明の概要】
【発明が解決しようとする課題】
【０００４】
朱肉やインク等の色材を使った現実の印鑑で押印行為が行われた場合には、その印鑑への色材の付着の仕方や押印時の印鑑の姿勢等の、印鑑の使用の仕方によって印影が変化する。これに対し、特許文献１，２に記載された技術では、印鑑装置を用いて表示面を指示する操作があった場合には、その印鑑装置固有の印影画像が一律に表示される。
そこで、本発明の目的は、現実に押印行為をした場合に近い使用感をユーザに与えられるように、電子的に表示するオブジェクト画像に変化を与えることである。
【課題を解決するための手段】
【０００５】
上述した課題を解決するため、本発明の表示端末は、表示面に画像を表示する表示部と、所定の指示体を使用して行われた前記表示面を指示する操作を検出する検出部と、前記指示体に対応付けられたオブジェクト画像データを取得する画像取得部と、前記画像取得部が取得したオブジェクト画像データに基づいて、前記検出部が前記操作を検出したときの前記指示体の所定の使用状況を表す状況情報に応じて変化させたオブジェクト画像を、前記表示部に表示させる表示制御部とを備える。
【０００６】
本発明の表示端末において、前記状況情報は、前記指示体の使用実績を表す実績情報を含むようにしてもよい。
この表示端末において、前記実績情報は、前記オブジェクト画像の表示回数、又は、所定時期からの経過時間を表す情報を含むようにしてもよい。
【０００７】
本発明の表示端末において、前記状況情報は、前記指示体が前記表示面を指示した時間の長さ、又は、前記指示体が前記表示面を押す力の大きさを表す情報を含むようにしてもよい。
【０００８】
本発明の表示端末において、前記状況情報は、前記表示面に対する前記指示体の姿勢を表す情報を含むようにしてもよい。
【０００９】
本発明の表示端末において、前記表示制御部は、前記状況情報に応じて、前記オブジェクト画像の色、当該色の濃度及び情報量のうちの１つ以上を変化させるようにしてもよい。
【００１０】
本発明の表示端末において、自表示端末から所定距離範囲内にある前記指示体と無線通信を行う無線通信部と、前記無線通信部が無線通信を行った前記指示体についての前記状況情報を取得する情報取得部とを備え、前記画像取得部は、各々の前記指示体に対応付けられたオブジェクト画像データを配信するサーバ装置と通信して、前記無線通信部が無線通信を行った前記指示体に対応付けられたオブジェクト画像データを取得し、前記表示制御部は、前記サーバ装置から取得されたオブジェクト画像データが表すオブジェクト画像を、前記情報取得部が取得した前記状況情報に応じて変化させるようにしてもよい。
【００１１】
本発明の表示制御方法は、表示面に画像を表示する表示端末の表示制御方法であって、所定の指示体を使用して行われた前記表示面を指示する操作を検出するステップと、前記指示体に対応付けられたオブジェクト画像データを取得するステップと、取得したオブジェクト画像データに基づいて、前記操作を検出したときの前記指示体の所定の使用状況を表す状況情報に応じて変化させたオブジェクト画像を、前記表示面に表示するステップとを有する。
【００１２】
本発明の画像表示システムは、表示端末と、当該表示端末と通信するサーバ装置とを備える画像表示システムであって、前記表示端末は、表示面に画像を表示する表示部と、所定の指示体を使用して行われた前記表示面を指示する操作を検出する検出部と、前記指示体に対応付けられたオブジェクト画像データを、前記サーバ装置と通信して取得する画像取得部と、前記画像取得部が取得したオブジェクト画像データに基づいて、前記検出部が前記操作を検出したときの前記指示体の所定の使用状況を表す状況情報に応じて変化させたオブジェクト画像を、前記表示部に表示させる表示制御部とを有し、前記画像サーバは、前記指示体の各々に対応付けられたオブジェクト画像データを蓄積したデータベースから、前記検出部が前記操作を検出した前記指示体に対応付けられたオブジェクト画像データを取得して、前記表示端末へ送信するデータ管理部とを有する。
【００１３】
本発明のプログラムは、表示面に画像を表示する表示端末のコンピュータに、所定の指示体を使用して行われた前記表示面を指示する操作を検出するステップと、前記指示体に対応付けられたオブジェクト画像データを取得するステップと、取得したオブジェクト画像データに基づいて、前記操作を検出したときの前記指示体の所定の使用状況を表す状況情報に応じて変化させたオブジェクト画像を、前記表示面に表示するステップとを実行させるためのプログラムである。
【発明の効果】
【００１４】
本発明によれば、現実に押印行為をした場合に近い使用感をユーザに与えられるように、電子的に表示するオブジェクト画像に変化を与えることができる。
【図面の簡単な説明】
【００１５】
【図１】第１実施形態の画像表示システムの全体構成を示す図。
【図２】表示端末のハードウェア構成を示すブロック図。
【図３】電子スタンプ装置のハードウェア構成を示すブロック図。
【図４】画像サーバのハードウェア構成を示すブロック図。
【図５】スタンプ画像ＤＢの構成例及びスタンプ画像を例示する図。
【図６】画像表示システムの機能構成を示す図。
【図７】スタンプ画像の表示処理の流れを示すシーケンス図。
【図８】表示端末と電子スタンプ装置との位置関係の説明図。
【図９】スタンプ画像の表示例を示す図。
【図１０】スタンプ画像の表示処理の流れを示すシーケンス図。
【図１１】電子スタンプ装置の構成を示す図。
【図１２】電子スタンプ装置の向きとスタンプ画像との関係を説明する図。
【図１３】電子スタンプ装置の構成及びスタンプ画像を示す図。
【図１４】電子スタンプ装置の接触状態とスタンプ画像との関係を説明する図。
【図１５】スタンプ画像の表示例を示す図。
【発明を実施するための形態】
【００１６】
以下、図面を参照しつつ本発明の実施形態を説明する。
［第１実施形態］
図１は、本発明の第１実施形態の画像表示システム１の全体構成を示す図である。画像表示システム１は、表示端末１０と、電子スタンプ装置２０と、画像サーバ３０とを備える。表示端末１０及び画像サーバ３０は、それぞれ、ネットワーク１００に接続する。表示端末１０及び画像サーバ３０は、ネットワーク１００経由で相互に通信可能である。ネットワーク１００は、例えばインターネットを含む通信回線である。
なお、画像表示システム１には、複数の表示端末１０及び複数の電子スタンプ装置２０が含まれるが、図面が繁雑になるのを防ぐため、図１にはそれぞれ１つずつ示す。また、ひとりのユーザが、表示端末１０又は電子スタンプ装置２０を複数使用（所持）してもよいが、この実施形態では特に考慮しないものとする。
【００１７】
電子スタンプ装置２０は、表示端末１０にスタンプ画像を表示させるために使用される無線機器である。電子スタンプ装置２０は、ユーザが容易に携帯可能な携帯品であり、図１に示すように、アクセサリとしての一面を有している。電子スタンプ装置２０は、ここでは、所定のキャラクタの顔を模したデザインとなっている。また、電子スタンプ装置２０の一端は、イヤホンジャックの差込口に差し込み可能に形成されている。このため、表示端末１０のユーザは、自身が使用する電子スタンプ装置２０を、この表示端末１０のイヤホンジャックの差込口（図示略）に差し込んだ状態で携帯することができる。ただし、電子スタンプ装置２０は、イヤホンジャックの差込口に差し込み可能に構成されていなくてもよく、外観構成については特に問わない。
【００１８】
表示端末１０は、画像を表示する表示面１４１を正面に有している。電子スタンプ装置２０を使用して、押印行為を意味する操作（以下、「押印操作」という。）が表示面１４１に対して行われると、表示端末１０は、その電子スタンプ装置２０のスタンプ画像を表示面１４１に電子的に表示する。押印操作は、電子スタンプ装置２０を使用して表示面１４１を指示する操作である。電子スタンプ画像は、電子スタンプ装置２０の印影に相当するオブジェクト画像である。
なお、表示端末１０は、ここではスマートフォンであるが、携帯電話端末、タブレット端末、ノート型パソコン、ＰＤＡ（Personal Digital Assistant）、携帯型ゲーム機等の他の表示端末であってもよい。
【００１９】
画像サーバ３０は、電子スタンプ装置２０の各々のスタンプ画像を表すオブジェクト画像データ（以下、「スタンプ画像データ」という。）を配信するサーバ装置である。表示端末１０は、電子スタンプ装置２０のスタンプ画像を表示する際には、その表示に先立って、画像サーバ３０と通信してスタンプ画像データを取得する。
【００２０】
図２は、表示端末１０のハードウェア構成を示すブロック図である。図２に示すように、表示端末１０は、制御部１１と、タッチスクリーン部１２と、通信部１３と、表示部１４と、記憶部１５とを備える。
制御部１１は、ＣＰＵ（Central Processing Unit）、ＲＯＭ（Read Only Memory）及びＲＡＭ（Random Access Memory）を有するマイクロコンピュータを備える。ＣＰＵは、ＲＯＭや記憶部１５に記憶されたプログラムをＲＡＭに読み出して実行することにより、表示端末１０の各部を制御する。タッチスクリーン部１２は、表示部１４の表示面１４１に重ねて設けられたセンサを備え、ユーザにより行われた操作をこのセンサにより検出する。ここでは、タッチスクリーン部１２は、ユーザが表示面１４１に対する接触操作を行った場合に、この接触操作により指示された位置を示す操作データを、制御部１１へ供給する。
なお、表示端末１０は、ユーザの操作を受け付ける操作子として物理キーを備えていてもよいし、音声入力による操作を受け付けてもよい。
【００２１】
通信部１３は、無線通信部１３１及びネットワーク通信部１３２を備え、それぞれが外部装置と通信するためのインタフェースである。無線通信部１３１は、ネットワーク１００を介さずに無線通信（すなわち近接通信）を行うためのインタフェースである。無線通信部１３１は、通信回路やアンテナを有し、Ｂｌｕｅｔｏｏｔｈ（登録商標）により無線通信（以下、「Ｂｌｕｅｔｏｏｔｈ通信」という。）を行うためのインタフェースである。ネットワーク通信部１３２は、ネットワーク１００に接続してネットワーク通信を行うためのインタフェースである。
【００２２】
表示部１４は、例えば液晶ディスプレイであり、表示面１４１に画像を表示する。記憶部１５は、例えばＥＥＰＲＯＭ（Electronically Erasable and Programmable ROM）やフラッシュメモリ等の記憶装置を備え、制御部１１により実行されるプログラム及びスタンプアプリ１５１等を記憶する。スタンプアプリ１５１は、スタンプ画像の表示処理を行うときに実行されるアプリケーションプログラムである。これ以外にも、記憶部１５は、表示端末１０で表示可能なスタンプ画像に関するデータとして、スタンプ画像データ等を記憶する。
【００２３】
図３は、電子スタンプ装置２０のハードウェア構成を示すブロック図である。図３に示すように、電子スタンプ装置２０は、制御部２１と、無線通信部２２と、記憶部２３と、押印操作検知部２４とを備える。
制御部２１は、ＣＰＵ、ＲＯＭ及びＲＡＭを有するマイクロコンピュータを備える。ＣＰＵは、ＲＯＭや記憶部２３に記憶されたプログラムをＲＡＭに読み出して実行することにより、電子スタンプ装置２０の各部を制御する。無線通信部２２は、外部装置と通信するためのインタフェースであり、ネットワーク１００を介さずに無線通信（すなわち近接通信）を行うためのインタフェースである。無線通信部２２は、ここでは、通信回路やアンテナを有し、Ｂｌｕｅｔｏｏｔｈ通信を行うためのインタフェースである。記憶部２３は、フラッシュメモリ等の記憶装置であり、電子スタンプ装置２０を一意に識別する機器識別子ＭＩＤを記憶する。この実施形態では、機器識別子ＭＩＤは、電子スタンプ装置２０がＢｌｕｅｔｏｏｔｈ通信に使用するＭＡＣ（Media Access Control address）アドレスである。電子スタンプ装置２０に割り当てられた機器識別子ＭＩＤを「Ｍ０００１」と表す。
【００２４】
押印操作検知部２４は、電子スタンプ装置２０を使用して行われた押印操作を検知する。押印操作検知部２４は、ここでは、電子スタンプ装置２０の先端であって表示面１４１に接触させられる側の先端に作用する押圧力を検知する圧力センサを有する。押印操作検知部２４は、圧力センサにより検知した押圧力を示すデータを、制御部２１へ供給する。制御部２１は、例えば、押印操作検知部２４により検知された押圧力が閾値以上になった場合に、押印操作が行われたと判断する。電子スタンプ装置２０を表示端末１０の表示面１４１に接触させる押印操作が行われた際に、電子スタンプ装置２０の先端に作用する圧力が大きくなるためである。
なお、電子スタンプ装置２０は、例えば内蔵電池を電源として動作する。
【００２５】
図４は、画像サーバ３０のハードウェア構成を示すブロック図である。図４に示すように、画像サーバ３０は、制御部３１と、ネットワーク通信部３２と、記憶部３３とを備える。
制御部３１は、ＣＰＵ、ＲＯＭ及びＲＡＭを有するマイクロコンピュータを備える。ＣＰＵは、ＲＯＭや記憶部３３に記憶されたプログラムをＲＡＭに読み出して実行することにより、画像サーバ３０の各部を制御する。ネットワーク通信部３２は、ネットワーク１００に接続して、外部装置とネットワーク通信を行うためのインタフェースである。記憶部３３は、ハードディスク装置等の記憶装置を備え、制御部３１により実行されるプログラムやスタンプ画像ＤＢ（Data Base）３３１を記憶する。
【００２６】
図５は、スタンプ画像ＤＢ３３１の構成例及びスタンプ画像の一例を示す図である。図５（ａ）は、スタンプ画像ＤＢ３３１の構成例を示す図である。図５（ｂ）は、電子スタンプ装置２０のスタンプ画像を例示した図である。
図５（ａ）に示すように、スタンプ画像ＤＢ３３１は、機器識別子と、スタンプ画像データと、回数情報とを対応付けて登録したデータベースである。スタンプ画像ＤＢ３３１で管理される機器識別子は、いずれかの電子スタンプ装置２０に割り当てられたものと一致する。電子スタンプ装置２０のスタンプ画像は、この電子スタンプ装置２０の外観のデザインと合致する。ここでは、機器識別子が「Ｍ０００１」である電子スタンプ装置２０に対応したスタンプ画像データである「ｉｍｇ０００１」は、図５（ｂ）に示すように、所定のキャラクタを模したスタンプ画像Ｉを表す。スタンプ画像ＤＢ３３１で管理される回数情報は、各々の電子スタンプ装置２０の使用状況を表す状況情報の一例で、この電子スタンプ装置２０のオブジェクト画像の表示回数（すなわち押印操作の回数）を示す情報である。この回数情報は、電子スタンプ装置２０の使用実績を表す実績情報に含まれる。
なお、電子スタンプ装置２０の外観のデザインとスタンプ画像とは合致していなくてもよい。また、本実施形態では、スタンプ画像ＤＢ３３１に蓄積されているスタンプ画像データは、電子スタンプ装置２０の製造者等によって生成されたものである。
【００２７】
図６は、画像表示システム１の機能構成を示す機能ブロック図である。図６に示すように、電子スタンプ装置２０の制御部２１は、第１通信制御部２１１と、第２通信制御部２１２とに相当する機能を実現する。
第１通信制御部２１１は、無線通信部２２によりＢｌｕｅｔｏｏｔｈ通信を行って、機器識別子ＭＩＤを表示端末１０へ送信する。第２通信制御部２１２は、無線通信部２２によりＢｌｕｅｔｏｏｔｈ通信を行って、機器識別子ＭＩＤ及び押印情報を表示端末１０へ送信する。押印情報は、電子スタンプ装置２０を使用した押印操作が行われたことを示す情報である。
【００２８】
表示端末１０の制御部１１は、スタンプアプリ１５１を実行することにより、検出部１１１と、情報取得部１１２と、画像取得部１１３と、表示制御部１１４とに相当する機能を実現する。
検出部１１１は、電子スタンプ装置２０を使用して行われた押印操作を検出する。検出部１１１は、電子スタンプ装置２０により送信された機器識別子ＭＩＤ及び押印情報を無線通信部１３１により受信した場合に、この機器識別子ＭＩＤが示す電子スタンプ装置２０により押印操作が行われたことを検出する。
【００２９】
情報取得部１１２は、検出部１１１が押印操作を検出したときの、電子スタンプ装置２０の所定の使用状況を表す状況情報を取得する。ここでは、情報取得部１１２は、ネットワーク通信部１３２により画像サーバ３０と通信して、スタンプ画像ＤＢ３３１で管理される回数情報を取得する。
【００３０】
画像取得部１１３は、押印操作を行った電子スタンプ装置２０に対応付けられたスタンプ画像データを、ネットワーク通信部１３２により画像サーバ３０と通信して取得する。画像取得部１１３は、無線通信部１３１により電子スタンプ装置２０から機器識別子ＭＩＤを取得すると、この機器識別子ＭＩＤに対応付けられたスタンプ画像データを取得して、記憶部１５に記憶させる。この際、画像取得部１１３は、記憶部１５に記憶した各スタンプ画像データに対応する機器識別子ＭＩＤを識別可能な方法で、各スタンプ画像データを記憶させる。
【００３１】
表示制御部１１４は、画像取得部１１３が取得したスタンプ画像データが表すスタンプ画像を、情報取得部１１２が取得した状況情報に応じて変化させて、表示部１４に表示させる。ここにおいて、表示制御部１１４は、記憶部１５に記憶されたスタンプ画像データを読み出し、このスタンプ画像データに対して状況情報に応じた特定の画像処理を行った後に、スタンプ画像を表示させる。ここにおいて、表示制御部１１４は、回数情報が示すスタンプ画像の表示回数に応じた画像処理をスタンプ画像データに施す。
【００３２】
画像サーバ３０の制御部３１は、データ管理部３１１に相当する機能を実現する。データ管理部３１１は、画像サーバ３０でのデータの管理を行う。データ管理部３１１は、押印操作が行われた電子スタンプ装置２０の機器識別子ＭＩＤに対応付けられたスタンプ画像データ及び回数情報を、スタンプ画像ＤＢ３３１から取得する。データ管理部３１１は、ネットワーク通信部３２によりネットワーク通信を行って、スタンプ画像データ及び回数情報を表示端末１０へ送信する。
【００３３】
図７は、画像表示システム１におけるスタンプ画像の表示処理の流れを示すシーケンス図である。図８は、表示端末１０と電子スタンプ装置２０との位置関係の時間的な変化を説明する図である。図８に示すように、無線通信部１３１がＢｌｕｅｔｏｏｔｈ通信を行うことのできる範囲を「通信可能範囲Ｒ」と称する。以下に説明する画像表示システム１の動作前は、スタンプ画像ＤＢ３３１は、図５（ａ）に示す状態であるものとする。
【００３４】
表示端末１０は、ユーザの操作に従って記憶部１５からスタンプアプリ１５１を読み出して、スタンプアプリ１５１を実行する。次に、表示端末１０は、自端末の周辺にあるＢｌｕｅｔｏｏｔｈ対応機器を探索する（ステップＳ１）。図８（ａ）に示すように、電子スタンプ装置２０が通信可能範囲Ｒ内にある場合、表示端末１０は、ステップＳ１の処理で、電子スタンプ装置２０の探索に成功する。
【００３５】
通信可能範囲Ｒ内にある電子スタンプ装置２０は、Ｂｌｕｅｔｏｏｔｈ通信を行って、記憶部２３に記憶された機器識別子ＭＩＤを表示端末１０へ送信する（ステップＳ２）。電子スタンプ装置２０は、機器識別子ＭＩＤとして「Ｍ０００１」を送信する。
なお、通信可能範囲Ｒ内に複数の電子スタンプ装置２０がある場合には、表示端末１０は、複数の電子スタンプ装置２０の各々から機器識別子ＭＩＤを取得する。
表示端末１０は、機器識別子ＭＩＤを受信してこれを取得すると、取得した機器識別子ＭＩＤを指定したスタンプ画像の送信要求（以下、「画像送信要求」という。）を、ネットワーク通信により画像サーバ３０へ送信する（ステップＳ３）。ここでは、表示端末１０は、機器識別子ＭＩＤとして「Ｍ０００１」を指定した画像送信要求を送信する。
【００３６】
画像サーバ３０は、画像送信要求を受信してこれを取得すると、取得した画像送信要求で指定された機器識別子ＭＩＤに対応付けられたスタンプ画像データ及び回数情報を、スタンプ画像ＤＢ３３１から取得する。そして、画像サーバ３０は、取得したスタンプ画像データ及び回数情報を、ネットワーク通信により表示端末１０へ送信する（ステップＳ４）。ここでは、画像サーバ３０は、スタンプ画像データとして「ｉｍｇ０００１」、及び、回数情報として「３」をそれぞれ送信する。
【００３７】
表示端末１０は、画像サーバ３０からスタンプ画像データ及び回数情報を受信してこれを取得すると、取得したスタンプ画像データ及び回数情報を記憶部１５に記憶させる（ステップＳ５）。ここでは、表示端末１０は、スタンプ画像データとして「ｉｍｇ０００１」と、回数情報として「３」とを取得して記憶部１５に記憶させる（図８（ａ）参照。）。この際、表示端末１０は、各スタンプ画像データに対応する機器識別子ＭＩＤを識別可能なように、例えば、スタンプ画像データと機器識別子ＭＩＤとを対応付けて記憶させる。
このステップＳ５の処理では、表示端末１０は、テンポラリファイルを作成する等して、スタンプ画像データ及び回数情報を一時記憶させる。このため、表示端末１０は、スタンプアプリ１５１の実行終了時やタイムアウト等の所定のタイミングで、記憶部１５に一時記憶させたスタンプ画像データ及び回数情報を削除する。また、表示端末１０は、ステップＳ５の処理で、記憶部１５にスタンプ画像データを記憶させているが、この時点では、このスタンプ画像データが表すスタンプ画像を表示させない。
【００３８】
次に、電子スタンプ装置２０を使用して、表示端末１０の表示面１４１に対して押印操作が行われようとしたとする。この場合、電子スタンプ装置２０と表示端末１０との位置関係が、図８（ｂ）に示す状態となる。すなわち、電子スタンプ装置２０は、その先端が表示端末１０の表示面１４１に接触させられる。
電子スタンプ装置２０は、表示端末１０の表示面１４１に接触させられ、押印操作検知部２４により検知された押圧力が閾値以上になると、押印操作を検知する。押印操作を検知すると、電子スタンプ装置２０は、機器識別子ＭＩＤと押印情報とを、Ｂｌｕｅｔｏｏｔｈ通信により表示端末１０へ送信する（ステップＳ６）。
【００３９】
表示端末１０は、ステップＳ６の処理で送信された機器識別子ＭＩＤと押印情報とを受信しこれらを取得すると、表示面１４１対して行われた押印操作を検出する（ステップＳ７）。次に、表示端末１０は、機器識別子ＭＩＤに対応するスタンプ画像データを記憶部１５から読み出して、表示用のスタンプ画像データを生成する（ステップＳ８）。ここでは、表示端末１０は、「ｉｍｇ０００１」のスタンプ画像データを、例えば、制御部１１のＲＡＭに読み出す。そして、表示端末１０は、回数情報に応じた画像処理を、読み出したスタンプ画像データに対して施す。ここでは、表示端末１０は、回数情報が示す使用回数が多いほど、スタンプ画像の色の濃度をより低くする画像処理を施す。そして、表示端末１０は、ステップＳ８の処理で生成したスタンプ画像データに基づいて、スタンプ画像を表示部１４により表示する（ステップＳ９）。ここにおいて、表示端末１０は、電子スタンプ装置２０が接触させられた表示面１４１上の位置を、スタンプ画像の表示位置とする。
なお、表示端末１０は、ステップＳ８の処理の表示用のスタンプ画像データを生成する処理を行ってから、記憶部１５に記憶させてもよい。
【００４０】
表示端末１０は、スタンプ画像を表示部１４により表示すると、記憶部１５にそのスタンプ画像データや機器識別子ＭＩＤを記憶しておく。これにより、表示端末１０は、いつでも、スタンプ画像やそれに対応する電子スタンプ装置２０の情報を表示することができる。
【００４１】
図９は、ステップＳ９の処理で表示されるスタンプ画像の表示例を示す図である。図９（ａ）〜（ｆ）には、それぞれ回数情報に応じて変化するスタンプ画像が示されている。図９に示す押印領域Ｔは、電子スタンプ装置２０を使用した押印操作が行われる領域であって、この押印操作に応じてスタンプ画像が表示される領域である。
回数情報が示す使用回数が閾値Ｔｈ１（例えば１０）未満の場合、ステップＳ９の処理では、図９（ａ）に示すスタンプ画像Ｉが表示される。スタンプ画像Ｉは、図５（ｂ）に示すスタンプ画像Ｉと同じである。回数情報が示す使用回数が閾値Ｔｈ１以上閾値Ｔｈ２（例えば２０）未満の場合、ステップＳ９の処理では、図９（ｂ）に示すスタンプ画像Ｉ１１が表示される。スタンプ画像Ｉ１１は、図９（ａ）に示すスタンプ画像Ｉよりも色の濃度を低くする画像処理が施して表示されるスタンプ画像である。回数情報が示す使用回数が閾値Ｔｈ２以上閾値Ｔｈ３（例えば３０）未満の場合、ステップＳ９の処理では、図９（ｃ）に示すスタンプ画像Ｉ１２が表示される。スタンプ画像Ｉ１２は、図９（ｂ）に示すスタンプ画像Ｉ１１よりも色の濃度を更に低くする画像処理が施して表示されるスタンプ画像である。図９（ｄ），（ｅ）に示すように、回数情報が示す使用回数が更に大きくなると、スタンプ画像Ｉ１３，Ｉ１４のように、使用回数に応じてスタンプ画像の色の濃度が更に低くなる。そして、使用回数が更に多くなると、図９（ｆ）に示すようにスタンプ画像は表示されなくなる。すなわち、電子スタンプ装置２０を用いた押印操作が行われた場合であっても、表示端末１０にスタンプ画像が表示されず、電子スタンプ装置２０が使用不可の状態になっている。
【００４２】
スタンプ画像を表示した後、表示端末１０は、機器識別子ＭＩＤを含む押印通知を画像サーバ３０へ通知する（ステップＳ１０）。画像サーバ３０は、押印通知を表示端末１０から受け付けると、スタンプ画像ＤＢ３３１の回数情報を更新する（ステップＳ１１）。ここにおいて、画像サーバ３０は、押印通知に含まれる機器識別子ＭＩＤに対応付けられた回数情報の値を「１」だけカウントアップする。ここでは、画像サーバ３０は、機器識別子「Ｍ０００１」に対応する回数情報を「３」から「４」に更新する。
【００４３】
以上説明した画像表示システム１では、電子スタンプ装置２０の押印操作の回数（スタンプ画像の表示回数）が多くなるほど、スタンプ画像の色の濃度を低くして表示する。この濃度の変化は、現実の印鑑を使用して押印を繰り返すうちに色材が消費されて、印影が薄くなる変化と合致する。このように、表示端末１０が、印鑑のインクが消費される様子を表現するようにスタンプ画像を変化させることで、電子スタンプ装置２０のユーザに対して、押印操作に際して視覚的な面白みを与えることができる。また、電子スタンプ装置２０が、押印回数が制限される消耗品として供される場合には、所定回数以上スタンプ画像を表示させなくすることによって、電子スタンプ装置２０の販売を促進する効果を得られる。また、スタンプ画像の表示の変化から、電子スタンプ装置２０のユーザは、電子スタンプ装置２０の押印操作の回数の目安を知ることができる。
【００４４】
また、表示端末１０は、押印操作が行われる可能性がある電子スタンプ装置２０を、通信可能範囲Ｒ内にある電子スタンプ装置２０により特定して、画像サーバ３０からスタンプ画像データを取得しておく。そして、表示端末１０は、実際に押印操作が行われた電子スタンプ装置２０を、押印情報を取得することにより特定して、スタンプ画像データに基づいてスタンプ画像を表示する。
仮に、押印操作の検出をトリガとして、表示端末１０がスタンプ画像データを画像サーバ３０から取得した場合、ネットワーク通信の通信遅延を含む処理遅延を原因として、押印操作からスタンプ画像の表示までに、タイムラグが発生する可能性がある。しかしながら、画像表示システム１では、押印操作が行われる可能性がある時点で、表示端末１０がスタンプ画像データを画像サーバ３０から取得するので、このタイムラグを小さくすることができる。よって、画像表示システム１によれば、スタンプ画像を電子的に表示する際に、インクや朱肉を使用する現実のスタンプを押す行為をした場合に近い使用感を、ユーザに与えることができる。
【００４５】
＜第１実施形態の変形例＞
以下に示す変形例は、各々を適宜に組み合わせてもよい。
（１）上述した第１実施形態では、表示端末１０は、回数情報に応じてスタンプ画像の色の濃度を変化させていたが、明度等のスタンプ画像の色を指定するパラメータ（色パラメータ）を変化させてもよいし、スタンプ画像を構成する線の太さや線種を、回数情報に応じて変化させてもよい。また、表示端末１０は、スタンプ画像においてかすれや滲みを表現する画像処理を、回数情報に応じて施してもよい。すなわち、表示端末１０は、回数情報に応じてスタンプ画像を変化させる画像処理を、スタンプ画像データに施す。この画像処理は、例えば、現実の印鑑の色材が消費された場合に生じる印影の変化を、スタンプ画像において擬似的に表現するための画像処理である。
【００４６】
（２）上述した第１実施形態では、画像サーバ３０が使用回数をカウントする構成であったが、電子スタンプ装置２０が押印回数をカウントする構成であってもよい。この場合、電子スタンプ装置２０の記憶部２３に、回数情報が記憶されていればよい。よって、画像サーバ３０のスタンプ画像ＤＢ３３１に回数情報が含まれていなくてもよい。
図１０は、この場合の画像表示システム１におけるスタンプ画像の表示処理の流れを示すシーケンス図である。図１０に示すシーケンス図において、図７で説明した処理ステップについては同じ符号を付して表し、対応する処理ステップについては符号の末尾に「ａ」を付して表す。以下、図７で説明した動作と異なる点を主に説明する。
【００４７】
ステップＳ３の処理で送信された画像送信要求を取得した画像サーバ３０は、画像送信要求に含まれる機器識別子ＭＩＤに対応したスタンプ画像データをスタンプ画像ＤＢ３３１から取得して、ネットワーク通信で表示端末１０へ送信する（ステップＳ４ａ）。そして、表示端末１０は、画像サーバ３０から取得したスタンプ画像データを、機器識別子ＭＩＤを識別可能な方法で記憶部１５に記憶させる（ステップＳ５ａ）
電子スタンプ装置２０は、押印操作が行われたことを検知すると、機器識別子ＭＩＤと押印情報とともに、記憶部２３に記憶された回数情報を表示端末１０へ送信する（ステップＳ６ａ）。表示端末１０は、ステップＳ６ａの処理で送信されたデータを受信すると、このデータに含まれる回数情報に従って、このデータに含まれる機器識別子ＭＩＤに対応するスタンプ画像データが表すスタンプ画像を表示する（ステップＳ７〜Ｓ９）。他方、電子スタンプ装置２０は、表示端末１０でスタンプ画像が表示されると、記憶部２３に記憶された回数情報を「１」だけカウントアップしてこれを更新する（ステップＳ１２）。ここにおいて、電子スタンプ装置２０は、スタンプ画像を表示した旨の応答を表示端末１０から受け付けてから、記憶部２３の回数情報を更新してもよい。
【００４８】
（３）上述した第１実施形態の画像表示システム１では、回数情報に応じてスタンプ画像を変化させていたが、電子スタンプ装置２０の使用実績を表す実績情報として、回数情報以外の情報が使用されてもよい。
例えば、画像表示システム１では、所定時期からの経過時間を表す情報（以下、「経過時間情報」という。）を使用してもよい。例えば、画像表示システム１では、前回の押印時期（スタンプ画像の表示時期）からの経過時間を表す経過時間情報に応じて、スタンプ画像の濃度を低くする。こうすれば、印鑑が使用されずに色材が乾いていくことにより印影が薄くなる様子を、スタンプ画像において擬似的に表現することができる。また、電子スタンプ装置２０のユーザは、電子スタンプ装置２０を使用していない期間の長さをスタンプ画像から、視覚的に把握することができる。スタンプ画像の色が薄くなってしまうという変化を避けたいユーザは、電子スタンプ装置２０の使用を積極的に行うので、その利用を促進する効果を期待できる。
上述した経過時間情報は、前回の押印時期からの経過時間に限らず、例えば、電子スタンプ装置２０の利用開始時期からの経過時間であってもよい。この利用開始時期は、例えば、電子スタンプ装置２０に電池がセットされた時期や初めて押印操作が行われた時期等により特定することができる。
【００４９】
［第２実施形態］
この第２実施形態の画像表示システム１では、電子スタンプ装置２０の使用状況を表す状況情報として、電子スタンプ装置２０の押印操作の操作方法を示す情報に応じて、スタンプ画像を変化させる。この実施形態の構成は、上述した第１実施形態における電子スタンプ装置２０の使用実績に応じてスタンプ画像を変化させる構成と組み合わされてもよい。
以下の説明において、上述した第１実施形態と同じ構成要素及び処理ステップについては同一の符号を付して表し、その説明を省略する。
【００５０】
（電子スタンプ装置２０の押印時の押印時間）
表示端末１０は、電子スタンプ装置２０が表示面１４１を指示した時間、すなわち、表示面１４１に接触させられた時間に応じて、スタンプ画像を変化させる。現実の印鑑では、押印時間が長いほど印影がはっきりと表示されやすく、反対に、押印時間が短いほど印影が薄くなりやすいと考えられる。
そこで、電子スタンプ装置２０は、押印操作検知部２４からのデータに基づいて押印操作を検出すると、押圧力が閾値以上で持続している時間を押印時間として特定する。そして、電子スタンプ装置２０は、ステップＳ６の処理では、この押印時間を表す押印時間情報を、押印情報に含めて表示端末１０へ送信する。そして、表示端末１０は、ステップＳ８の処理では、押印時間情報が表す押印時間が長いほど、スタンプ画像の色の濃度を高くし、この押印時間が短いほどスタンプ画像の色の濃度を低くする画像処理を行って、表示用のスタンプ画像データを生成する。
【００５１】
（電子スタンプ装置２０の押印時の押印圧力）
表示端末１０は、電子スタンプ装置２０が表示面１４１を指示したときの押圧力に応じて、スタンプ画像を変化させる。現実の印鑑では、押圧力が大きいほど印影がはっきりと表示されやすく、反対に、押圧力が小さいほど印影が薄くなりやすいと考えられる。
そこで、電子スタンプ装置２０は、押印操作検知部２４からの圧力データに基づいて押印操作を検出すると、押圧力の大きさを特定して、押圧力を示す押圧力情報を押印情報に含めて表示端末１０へ送信する。そして、表示端末１０は、ステップＳ８の処理では、押圧力情報が示す押圧力が大きいほどスタンプ画像の色の濃度を高くし、この押圧力が小さいほどスタンプ画像の色の濃度を低くする画像処理を行って、表示用のスタンプ画像データを生成する。
【００５２】
（電子スタンプ装置２０の押印時の向き）
表示端末１０は、電子スタンプ装置２０が押印操作をしたときの姿勢に応じて、スタンプ画像を変化させる。ここでは、表示端末１０は、表示面１４１に対する電子スタンプ装置２０の向きに応じてスタンプ画像を変化させる。
図１１は、電子スタンプ装置２０の構成を示す図である。図１１（ａ）は、電子スタンプ装置２０の外観の構成を示す図である。図１１（ａ）に示すように、電子スタンプ装置２０は、円柱状に形成され、押印操作が行われる際には、正円状の底面２０１が表示面１４１に接触させられる。図１１（ｂ）は、図１１（ａ）に示す矢印Ｄ１方向、すなわち、底面２０１の反対側の面から見たときの、底面２０１における突起２０２ａ及び突起２０２ｂの位置を説明する図である。
【００５３】
図１１（ａ），(ｂ)に示すように、底面２０１は正円状の輪郭を有する。電子スタンプ装置２０は、底面２０１の２箇所に突起２０２ａ及び突起２０２ｂを有している。突起２０２ａ及び突起２０２ｂは底面２０１の輪郭上にある。突起２０２ａ及び突起２０２ｂは、底面２０１の径方向において底面２０１から突出した構成となっている。底面２０１の中心Ｏと突起２０２ａ及び２０２ｂのそれぞれとを結ぶ線分同士のなす角度は、ここでは９０度である。このように突起２０２ａ及び２０２ｂが中心Ｏを通る同一直線上に位置しないので、表示端末１０は、押印操作が行われたときに突起２０２ａ及び突起２０２ｂの位置を検出することにより、押印操作時の電子スタンプ装置２０の向きを特定することができる。この電子スタンプ装置２０の向きは、表示面１４１に対する電子スタンプ装置２０の相対的な向きである。表示端末１０は、表示面１４１に対する電子スタンプ装置２０の向きを特定した結果に基づいて、スタンプ画像を回転させる画像処理（すなわち回転処理）を施す。
【００５４】
図１２は、電子スタンプ装置２０の押印時の向きとスタンプ画像との関係を示す図である。図１２（ａ）に示すように、表示面１４１の天地方向と電子スタンプ装置２０の天地方向とを一致させて押印操作が行われた場合、表示端末１０は、回転処理を施さないでスタンプ画像Ｉを表示させる。図１２（ｂ）に示すように、電子スタンプ装置２０の天地方向を、表示面１４１の天地方向に対して反時計回りに４５度回転させた状態で押印操作が行われた場合、表示端末１０は、スタンプ画像Ｉを反時計回りに４５度回転させたスタンプ画像Ｉ２１を表示させる。図１２（ｃ）に示すように、電子スタンプ装置２０の天地方向を、表示面１４１の天地方向に対して反時計回りに２２０度回転させた状態で押印操作が行われた場合、表示端末１０は、スタンプ画像Ｉを反時計回りに２２０度回転させたスタンプ画像Ｉ２２を表示させる。
すなわち、電子スタンプ装置２０の天地方向を、表示面１４１の天地方向に対して反時計回りにθ度回転させた状態で押印操作が行われた場合、表示端末１０は、スタンプ画像Ｉを反時計回りにθ度回転させたスタンプ画像を表示させる。
【００５５】
（電子スタンプ装置２０の表示面１４１との接触状態）
表示端末１０は、電子スタンプ装置２０が押印操作をしたときの姿勢として、電子スタンプ装置２０の表示面１４１との接触状態に応じて、スタンプ画像を変化させてもよい。
図１３は、電子スタンプ装置２０の構成及びスタンプ画像を示す図である。図１３（ａ）は、電子スタンプ装置２０の外観の構成を示す図である。図１３（ａ）に示すように、電子スタンプ装置２０は、円柱状に形成され、押印操作が行われる際には、正円状の底面２０１が表示面１４１に接触させられる。図１３（ｂ）は、図１３（ａ）に示す矢印Ｄ２方向、すなわち、底面２０１の反対側の面から見たときの、底面２０１における突起２０３ａ，２０３ｂ及び突起２０３ｃの位置を説明する図である。
【００５６】
図１３（ａ），(ｂ)に示すように、底面２０１は正円状の輪郭を有する。電子スタンプ装置２０は、底面２０１の３箇所に突起２０３ａ，２０３ｂ及び突起２０３ｃを有している。突起２０３ａ，２０３ｂ及び突起２０３ｃはそれぞれ、電子スタンプ装置２０の長手方向（高さ方向）において、底面２０１から突出している。また、突起２０３ａ，２０３ｂ及び突起２０３ｃを結んでなる三角形は非点対称の図形である。よって、表示端末１０は、押印操作が行われたときに突起２０３ａ，２０３ｂ及び突起２０３ｃの各々の有無を検知するかによって、底面２０１の表示面１４１に対する接触状態を特定することができる。また、表示端末１０は、押印操作が行われたときの突起２０３ａ，２０３ｂ及び突起２０３ｃの表示面１４１への接触位置から、電子スタンプ装置２０の押印時の向きを特定することができる。
【００５７】
そこで、表示端末１０は、表示面１４１に対する電子スタンプ装置２０の接触状態を特定した結果に基づいて、スタンプ画像の一部分を非表示、すなわち、スタンプ画像の一部分の濃度をゼロとする画像処理を施す。図１３（ｃ）に示すように、表示面１４１に対して、電子スタンプ装置２０の突起２０３ａ，２０３ｂ及び突起２０３ｃが接触するように押印されれば、表示端末１０は、濃度を変化させる画像処理を施さないでスタンプ画像Ｉを表示させる。
なお、図１３（ｃ）及び図１４においては、表示面１４１に接触する突起を「●」（黒丸印）で表し、表示面１４１に接触しない突起を「○」（白丸印）で表している。
【００５８】
図１４は、電子スタンプ装置２０の底面２０１の押印時の接触状態とスタンプ画像との関係を示す図である。図１４（ａ）に示すように、表示面１４１に対して、突起２０３ａ，２０３ｂを接触させ、矢印Ｄ２方向に見て左側に位置する突起２０３ｃを接触させないように、電子スタンプ装置２０の押印操作が行われた場合、表示端末１０は、矢印Ｄ２方向に見てスタンプ画像Ｉの左側の一部分を非表示としたスタンプ画像Ｉ３１を表示させる。図１４（ｂ）に示すように、表示面１４１に対して、突起２０３ａ，２０３ｃを接触させ、矢印Ｄ２方向に見て右側に位置する突起２０３ｂを接触させないように、電子スタンプ装置２０の押印操作が行われた場合、表示端末１０は、矢印Ｄ２方向に見てスタンプ画像Ｉの右側の一部分を非表示としたスタンプ画像Ｉ３２を表示させる。図１４（ｃ）に示すように、表示面１４１に対して、突起２０３ｂ，２０３ｃを接触させ、矢印Ｄ２方向に見て上側に位置する突起２０３ａを接触させないように、電子スタンプ装置２０の押印操作が行われた場合、表示端末１０は、矢印Ｄ２方向に見てスタンプ画像Ｉの上側の一部分を非表示としたスタンプ画像Ｉ３３を表示させる。
すなわち、表示端末１０は、接触しない突起に対応するスタンプ画像の一部の領域を非表示にして、スタンプ画像を表示させる。
【００５９】
また、図１４（ｄ）に示すように、表示面１４１に対して、突起２０３ａを接触させ、突起２０２ｂ，２０３ｃを接触させないように、電子スタンプ装置２０が押印されれば、矢印Ｄ２方向に見てスタンプ画像Ｉの上側の一部分を除く部分を非表示としたスタンプ画像Ｉ３４を表示させる。すなわち、表示端末１０は、表示面１４１と接触しない突起の数が多いほど、非表示とするスタンプ画像の領域を増加させる。
【００６０】
また、突起２０３ａ，２０３ｂ及び２０３ｃを結んでなる三角形が非点対称の図形となるようにしているから、表示端末１０は、表示面１４１に対する電子スタンプ装置２０の押印時の向きを特定することができる。そこで、表示端末１０は、電子スタンプ装置２０の底面２０１の押印時の向きと接触状態とに応じたスタンプ画像を表示する。例えば、図１４（ｅ）に示すように、表示面１４１に対して、突起２０３ａ，２０３ｂを接触させ、突起２０３ｃを接触させないようにし、且つ、電子スタンプ装置２０の天地方向を、表示面１４１の天地方向に対して反時計回りに４５度回転させた状態で押印操作が行われたとする。この場合、表示端末１０は、矢印Ｄ２方向に見てスタンプ画像Ｉの左側の一部分を非表示とし、且つ、スタンプ画像Ｉを反時計回りに４５度回転させたスタンプ画像Ｉ３５を表示させる。
【００６１】
なお、この実施形態では、電子スタンプ装置２０は突起を３つ有していたが、４つ以上有していてもよい。電子スタンプ装置２０が有する突起の数が多いほど、電子スタンプ装置２０と表示面１４１との接触状態との関係をより詳細に特定することができる。この場合も、隣り合う突起同士を結んでなる多角形は、非点対称の図形になるように構成される。ただし、接触状態に応じてスタンプ画像を変化させるが、押印時の電子スタンプ装置２０の向きに応じてスタンプ画像を変化させない場合には、底面２０１における各突起の配置位置は特に問わない。
以上説明した第２実施形態の画像表示システム１のように、電子スタンプ装置２０を使用した押印操作によって変化する状況情報に応じて、オブジェクト画像を変化させることによっても、現実に押印行為をした場合に近い使用感をユーザに与えることができる。
【００６２】
［変形例］
本発明は、上述した実施形態と異なる形態で実施することが可能である。本発明は、例えば、以下のような形態で実施することも可能である。また、以下に示す変形例は、各々を適宜に組み合わせてもよい。
（変形例１）
表示端末１０は、スタンプ画像の情報量を状況情報に応じて変化させてもよい。例えば、表示端末１０は、使用回数が多くなるほど情報量を少なくてもよい。図１５（ａ）に示すように、スタンプ画像Ｉ４１が、表示要素ｅ１〜ｅ３の３つからなる場合、使用回数が多くなるほど、表示するようその数を少なくする。ここでは、使用回数が閾値Ｔｈ１１未満であれば、表示要素ｅ１〜ｅ３からなるスタンプ画像Ｉ４１を表示させる。使用回数が閾値Ｔｈ１１以上閾値Ｔｈ１２未満であれば、表示要素ｅ３を非表示とし、ｅ２、ｅ３からなるスタンプ画像Ｉ４２を表示させる。使用回数が閾値Ｔｈ１２以上閾値Ｔｈ１３未満であれば、表示要素ｅ１，ｅ３を非表示とし、表示要素ｅ２のみからなるスタンプ画像Ｉ４３を表示させる。そして、閾値Ｔｈ１３以上になれば、表示端末１０はスタンプ画像を表示させない。
他の状況情報を使用する場合であっても、表示端末１０は、上述した各実施形態で濃度を低くする処理に代えて、情報量を少なくする処理を行えばよい。情報量は、ここでは表示要素の数に対応しているが、文字数や画像の数等によって特定されてもよい。
【００６３】
また、上述した第１実施形態の画像表示システム１では、表示端末１０は、スタンプ画像の濃度や色を使用回数が増える毎に低くしていたが、反対に、スタンプ画像の濃度や色を使用回数が増える毎に高くしてもよい。また、表示端末１０は、使用回数が増える毎にスタンプ画像の情報量を増やしてもよい。こうすれば、電子スタンプ装置２０を使用するほどユーザにとってのメリットが増えるので、電子スタンプ装置２０の利用の促進効果を期待することができる。
【００６４】
（変形例２）
表示端末１０は、上述した第１実施形態及び第２実施形態で説明した状況情報以外の情報に応じて、スタンプ画像を変化させてもよい。例えば、表示端末１０は、電子スタンプ装置２０が使用されるときの環境の物理量を検出して、この検出結果に基づいてスタンプ画像を変化させてもよい。この環境の物理量は、例えば表示端末１０又は電子スタンプ装置２０の周辺の温度、湿度、明るさ、表示端末１０に作用する振動等である。表示端末１０は、この環境の物理量とスタンプ画像データに施す画像処理との関係を予め決めておき、この関係に従った画像処理をステップＳ８の処理で施して、スタンプ画像データを生成する。
すなわち、状況情報は、押印操作時に表示端末１０又は電子スタンプ装置２０の使用状況を表す情報であって、現実の印鑑を使用して押印行為をした場合に、印影に影響を与えうる状況を示す情報であればよい。
【００６５】
（変形例３）
上述した各実施形態では、表示端末１０は、Ｂｌｕｅｔｏｏｔｈ通信により、ステップＳ２の処理及びステップＳ６の処理で、機器識別子ＭＩＤを取得していたが、これ以外の方法で、押印操作が行われる可能性がある電子スタンプ装置２０と、実際に押印操作が行われた電子スタンプ装置２０とを特定してもよい。
例えば、表示端末１０は、ステップＳ２の処理では、第１の距離範囲内を通信エリアとする第１の近接通信（Ｂｌｕｅｔｏｏｔｈ通信）により、機器識別子ＭＩＤを取得し、ステップＳ６の処理では、第１の距離範囲よりも表示端末１０に近い、第２の距離範囲内を通信エリアとする第２の近接通信（例えば、ＮＦＣ（Near Field Communication）方式）により機器識別子ＭＩＤを取得してもよい。Ｂｌｕｅｔｏｏｔｈ通信は、例えばクラス２の場合、半径１０ｍ程度の距離範囲内の無線機器と接続可能である。ＮＦＣ通信は、例えば１０ｃｍ未満の距離範囲内の無線機器と接続可能である。すなわち、表示端末１０は、どの通信方式の通信で機器識別子ＭＩＤを取得したかによって、押印操作が行われる可能性がある電子スタンプ装置２０と、実際に押印操作が行われた電子スタンプ装置２０とを特定することができる。この場合、電子スタンプ装置２０は押印操作検知部２４を備えなくてもよい。
【００６６】
この場合の画像表示システム１において、ステップＳ２の処理では、電子スタンプ装置２０が機器識別子ＭＩＤを送信する一方で、ステップＳ６の処理では、電子スタンプ装置２０が、第２近接通信部２２２に対し一意に割り当てられた識別子を送信してもよい。この識別子は、例えば、第２近接通信部２２２のＩＣチップに記録され書き換えができない固有のＩＤ（以下、「ＮＦＣＩＤ」という。）である。
【００６７】
この場合、画像サーバ３０のスタンプ画像ＤＢ３３１では、電子スタンプ装置２０毎に、Ｂｌｕｅｔｏｏｔｈ通信のＭＡＣアドレスと、ＮＦＣＩＤと、スタンプ画像データとが対応付けて登録されていればよい。画像表示システム１の動作を説明すると、画像サーバ３０は、ステップＳ４の処理では、通信可能範囲Ｒ１内にある電子スタンプ装置２０の電子スタンプ装置２０のＮＦＣＩＤを、ユーザ端末１０へ送信する。ユーザ端末１０は、ステップＳ５の処理では、画像サーバ３０から受信したスタンプ画像データを、このスタンプ画像データとともに受信したＮＦＣＩＤを識別可能な方法で、記憶部１５に記憶させる。そして、ユーザ端末１０は、ステップＳ６の処理で送信されたＮＦＣＩＤを受信すると、受信したＮＦＣＩＤに対応するスタンプ画像データを記憶部１５から読み出して、スタンプ画像を表示する。こうすれば、表示端末１０は、通信可能範囲Ｒ１内にある電子スタンプ装置２０から受信した機器識別子ＭＩＤとは異なる情報であるＮＦＣＩＤを用いて、通信可能範囲Ｒ２内にある電子スタンプ装置２０の機器識別子ＭＩＤを特定することができる。
また、上述した各実施形態で使用される機器識別子ＭＩＤは、電子スタンプ装置２０を一意に識別する識別子であれば、ＭＡＣアドレス以外の識別子であってもよい。例えば、機器識別子ＭＩＤは、画像表示システム１におけるスタンプ画像を表示するサービス専用の識別子（サービスＩＤ）であってもよい。また、上述したＮＦＣＩＤについても、機器識別子ＭＩＤとは異なる他の識別子に置き換え可能で、例えばサービス専用のサービスＩＤを用いることができる。
【００６８】
また、表示端末１０と電子スタンプ装置２０とは、近接通信ではなく、Ｗｉ−Ｆｉ（登録商標）等の他の通信方式の通信を行って情報のやり取りを行ってもよい。また、表示端末１０が、電子スタンプ装置２０との近接通信に使用する電波の強度から、この電子スタンプ装置２０とのおおよその距離を把握できる場合には、電波の強度に基づいて押印操作が行われる可能性がある電子スタンプ装置２０と、実際に押印操作が行われる電子スタンプ装置２０とをそれぞれ特定してもよい。
また、本発明の指示体は、現実の印鑑のように底面に印判を意味する凹凸が形成された器具であってもよい。この場合、表示端末１０は、表示面１４１に接触した凸部の位置に有色の画像を表示し、表示面１４１に接触しない凹部の位置には有色の画像を表示しないようにスタンプ画像データを生成してもよい。この場合、指示体は電気的な構成を有さなくてもよいし、スタンプ画像データを予め用意しなくてもよい。
【００６９】
また、スタンプ画像データを画像サーバ３０が配信する構成でなくてもよい。例えば、表示端末１０がスタンプ画像データと機器識別子ＭＩＤとを対応付けて記憶していてもよい。この場合、ステップＳ１〜Ｓ５の処理を省略可能である。また、電子スタンプ装置２０がスタンプ画像データを記憶して、ステップＳ６の処理で表示端末１０へ送信してもよい。この場合も、ステップＳ１〜Ｓ５の処理を省略可能である。
【００７０】
（変形例４）
上述した各実施形態の画像表示システム１では、表示端末１０は、タッチスクリーン部１２により接触操作を検知した位置を、スタンプ画像の表示位置としていた。これに代えて、表示端末１０は、電子スタンプ装置２０が接触した位置が押印領域に含まれるのであれば、常に、その押印領域の中心等の所定位置に、スタンプ画像を表示してもよい。
また、表示端末１０は、記憶部１５からスタンプ画像データを読み出すと、表示面１４１への接触操作を待たずに、スタンプ画像を表示してもよい。
【００７１】
（変形例５）
上述した各実施形態では、表示端末１０が状況情報を取得してスタンプ画像を変化させていたが、画像サーバ３０がスタンプ画像を変化させる画像処理をスタンプ画像データに施してもよい。
この場合、ステップＳ３の処理で送信された画像送信要求を取得した画像サーバ３０は、画像送信要求に含まれる機器識別子ＭＩＤに対応したスタンプ画像データをスタンプ画像ＤＢ３３１から取得する。画像サーバ３０は、スタンプ画像ＤＢ３３１から取得したスタンプ画像データに対して、スタンプ画像ＤＢ３３１から取得した状況情報に応じて、スタンプ画像を変化させるための画像処理を施す。この画像処理は、上述した各実施形態のステップＳ９の処理と同じでよい。画像サーバ３０は、画像処理を施した後のスタンプ画像データを、ネットワーク通信で表示端末１０へ送信する。
表示端末１０は、ステップＳ７の処理で押印操作を検出した際は、画像処理を実行することなく、画像サーバ３０から受信したスタンプ画像データが表すスタンプ画像を表示する。
なお、表示端末１０及び画像サーバ３０以外の他装置が、スタンプ画像の変動の度合いを決定して画像処理を行ってもよい。
【００７２】
（変形例６）
上述した各実施形態では、画像サーバ３０のスタンプ画像ＤＢ３３１に登録されるスタンプ画像データは予め決められていたが、表示端末１０が指定したスタンプ画像データがスタンプ画像ＤＢ３３１に蓄積されていてもよい。この場合、表示端末１０は、例えば、自端末とユーザが同じである電子スタンプ装置２０の機器識別子と、登録したいスタンプ画像データとを含む登録要求を、画像サーバ３０へ送信する。そして、画像サーバ３０は、登録要求に含まれる機器識別子ＭＩＤとスタンプ画像データとを対応付けて、スタンプ画像ＤＢ３３１に登録する。
【００７３】
（変形例７）
上述した各実施形態の画像表示システム１で使用されるスタンプ画像の用途は、電子スタンプ帳への収集に限られない。本発明では、例えば、所定のＳＮＳ（Social Networking Service）で交流することのできる表示端末１０を、同じスタンプ画像を保有する表示端末１０同士に制限してもよい。この場合、表示端末１０は、ＳＮＳの管理を行うＳＮＳサーバに、スタンプ画像を保有している電子スタンプ装置２０の機器識別子を送信する。ＳＮＳサーバは、同じ機器識別子を送信してきた表示端末１０同士についてＳＮＳでの交流を許可する。
また、ユーザが、自身の電子スタンプ装置２０を用いて自身の表示端末１０に押印操作をした場合、表示端末１０は、この電子スタンプ装置２０のスタンプ画像を、電子メールやＳＮＳで投稿する情報等の送信データに付加してもよい。こうすれば、電子スタンプ装置２０のスタンプ画像を、送信データの送信元のユーザが正当なユーザであることの証明に利用することができる。
すなわち、本発明では、表示端末１０が保有するスタンプ画像の機器識別子やスタンプ画像データを用いて、電子スタンプ帳へのスタンプ画像の収集以外の所定の処理を行うことができる。
【００７４】
（変形例８）
表示端末１０と電子スタンプ装置２０との間で行われる近接通信その他の無線通信の通信方式は、上述した通信方式に限定されない。
また、電子スタンプ装置２０は、スマートフォンやタブレット端末等の通信端末により実現されてもよく、スタンプ画像データ等のオブジェクト画像データが対応付けられ、表示面１４１を指示する指示体として機能する機器（例えば無線機器）であれば、その具体的な種類は問わない。すなわち、本発明の指示体は、電子スタンプ画像を表示させるための機能のみを実現する機器に限られない。
上述した各実施形態において、表示端末１０の制御部１１や電子スタンプ装置２０の制御部２１、画像サーバ３０の制御部３１が実現する各機能は、複数のプログラムの組み合わせによって実現され、又は、複数のハードウェア資源の連係によって実現されうる。表示端末１０や電子スタンプ装置２０、画像サーバ３０の機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリ等のコンピュータ読み取り可能な記録媒体に記憶した状態で提供されてもよいし、ネットワークを介して配信されてもよい。また、本発明は、表示端末における表示制御方法として把握することも可能である。
【符号の説明】
【００７５】
１…画像表示システム、１０…表示端末、１１…制御部、１１１…検出部、１１２…情報取得部、１１３…画像取得部、１１４…表示制御部、１２…タッチスクリーン部、１３…通信部、１３１…無線通信部、１３２…ネットワーク通信部、１４…表示部、１４１…表示面、１５…記憶部、１５１…スタンプアプリ、２０…電子スタンプ装置、２１…制御部、２１１…第１通信制御部、２１２…第２通信制御部、２２…無線通信部、２３…記憶部、３０…画像サーバ、３１…制御部、３１１…データ管理部、３２…ネットワーク通信部、３３…記憶部、３３１…スタンプ画像ＤＢ。
【図１】
2015011671.tif 000003
【図２】
2015011671.tif 000004
【図３】
2015011671.tif 000005
【図４】
2015011671.tif 000006
【図５】
2015011671.tif 000007
【図６】
2015011671.tif 000008
【図７】
2015011671.tif 000009
【図８】
2015011671.tif 000010
【図９】
2015011671.tif 000011
【図１０】
2015011671.tif 000012
【図１１】
2015011671.tif 000013
【図１２】
2015011671.tif 000014
【図１３】
2015011671.tif 000015
【図１４】
2015011671.tif 000016
【図１５】
2015011671.tif 000017